(57)【特許請求の範囲】
【請求項１】
被写体光路用の開口部を有し両者間に羽根室を形成する地板及び補助地板と、
前記地板に回転可能に取り付けられるアーム及び前記アームに順次枢支される複数の羽根からなる羽根群と、
前記アームに連結され、前記羽根群を前記開口部に対して開閉駆動する電磁駆動源と、
前記羽根群の露光動作方向側とは反対側に前記羽根群が当接するストッパ部と、を設けており、
前記羽根群が露光作動する前までに、前記羽根群が前記ストッパ部に当接するように前記電磁駆動源に対して通電することを特徴とするカメラ用フォーカルプレンシャッタ。
【請求項２】
レリーズボタンが押されると、前記羽根群が前記ストッパ部に当接するように前記電磁駆動源に対して通電することを特徴とする請求項１に記載のカメラ用フォーカルプレンシャッタ。
【請求項３】
撮影待機状態において、前記羽根群が前記ストッパ部に当接するように前記電磁駆動源に対して通電することを特徴とする請求項１に記載のカメラ用フォーカルプレンシャッタ。
【請求項４】
請求項１乃至３のいずれかに記載のカメラ用フォーカルプレンシャッタを備えていることを特徴とするカメラ。
【発明の詳細な説明】
【技術分野】
【０００１】
本発明は、カメラ用フォーカルプレンシャッタ、及びそれを備えたカメラに関する。
【背景技術】
【０００２】
従来、このような分野の技術として例えば以下の特許文献１がある。この特許文献１に記載されたカメラ用シャッタ装置では、先羽根群４０及び後羽根群５０に、各々、直接駆動力を及ぼす先羽根電磁駆動源６０及び後羽根電磁駆動源７０の他に、規制用電磁駆動源８０を配置している。そしてこの規制用電磁駆動源８０により、待機状態において先羽根支持アーム４５及び後羽根支持アーム５５の第１被押動部４５ａ及び第３被押動部５５ａに係合して、各羽根群の移動を規制する。
【０００３】
さらに、レリーズボタンが押された後であって露光作動前に先羽根支持アーム４５の第２被押動部４５ｂ及び後羽根支持アーム５５の第４被押動部５５ｂに係合してガタ寄せを行ない露光動作開始位置に位置決めする。即ち、先羽根電磁駆動源６０及び後羽根電磁駆動源７０の保持力と拮抗する向きに規制用電磁駆動源８０の付勢力が作用することで、先羽根群４０及び後羽根群５０が所定の露光動作開始位置に位置決めされるため、確実に安定した露光動作を行わせることができるようになっている。
【先行技術文献】
【特許文献】
【０００４】
【特許文献１】特開２００２−５５３７８号公報
【発明の概要】
【発明が解決しようとする課題】
【０００５】
しかしながら、特許文献１に記載のカメラ用シャッタ装置においては、各羽根群を露光動作開始位置で位置決めするために専用の規制用電磁駆動源８０を設けているため、構造の複雑化、部品点数の増加等による製品のコストアップやシャッタ装置の大型化を招く虞があった。
【０００６】
本発明は、上記事情に対処することを課題の一例とするものである。すなわち、モータ等の電磁駆動源を用いて、羽根群を直接駆動するタイプのフォーカルプレンシャッタにおいて、構造の簡略化、部品点数の削減等による低コスト化を図りつつ、羽根群を露光動作開始位置に確実に位置決めでき、確実に安定した露光動作を行わせることのできるカメラ用フォーカルプレンシャッタ、及びそれを備えたカメラを提供することを目的とする。
【課題を解決するための手段】
【０００７】
上記の目的を達成するために、本発明のカメラ用フォーカルプレンシャッタは、被写体光路用の開口部を有し両者間に羽根室を形成する地板及び補助地板と、地板に回転可能に取り付けられ電磁駆動源により駆動力を付与されるアーム及びそのアームに対して順次枢支してなる羽根群と、羽根群の露光動作方向側とは反対側に羽根群が当接するストッパ部とを設けたことを特徴とする。
【０００８】
また、本発明のカメラ用フォーカルプレンシャッタは、露光動作開始前に、羽根群がストッパ部に当接するように電磁駆動源に対して通電するようにされていることが好ましい
。
【０００９】
また、本発明のカメラ用フォーカルプレンシャッタは、撮影待機状態に、羽根群がストッパ部に当接するように電磁駆動源に対して通電するようにされていることが好ましい。  
【００１０】
更に、本発明のカメラ用フォーカルプレンシャッタは、上記発明のカメラ用フォーカルプレンシャッタを備えていることを特徴とする。
【発明の効果】
【００１１】
本発明のカメラ用フォーカルプレンシャッタによれば、構造の簡略化、部品点数の削減等による低コスト化を図りつつ、外部からの衝撃あるいは振動に対してシャッタ羽根が所定の位置から移動したとしても、露光動作開始位置に位置決めをすることができ、安定した露光動作を行わせることができる。
【図面の簡単な説明】
【００１２】
【図１】本発明の実施形態に係るカメラ用フォーカルプレンシャッタの露光動作開始前の状態を示す平面図。
【図２】図１の右側から視た側面図。
【図３】図１の状態から露光動作が終了した状態を示す平面図。
【発明を実施するための形態】
【００１３】
本発明の好適な実施の形態を、図面を参照しつつ説明する。
先ず、図１〜図３を用いて本発明の実施形態の構成を説明するが、その説明に際しては、地板側を表面側と称し、補助地板側を背面側と称することにする。地板１には、その略中央部に被写体光路用の開口部１aが形成されている。また周知のように、地板１の背面側には、所定の間隔を空けて、図２に示した中間板２と補助地板３とが順に取り付けられており、地板１と中間板２との間に先羽根群４の羽根室を構成し、中間板２と補助地板３との間に後羽根群５の羽根室を形成している。
【００１４】
また、地板１には、開口部１ａの左側に、地板１を貫通する円弧状の二つの長孔１ｂ，１ｃが形成されている。また地板１の背面側には、図２に示すように先羽根用のストッパ部１ｄと後羽根用のストッパ部１ｅが形成されており、先羽根用のストッパ部１ｄは、後羽根用のストッパ部１ｅよりも高さが低くなっている。そのため、先羽根用のストッパ部１ｄは後羽根群５の動作に影響を与ることがない。更に、地板１の表面側には、図示していない手段によって、電磁駆動源としての二つのムービングマグネット型のモータ６，７が取り付けられている。このモータの構成は周知であって、実公平５−９７０９号公報にも記載されているので、具体的には図示していないが、永久磁石製の回転子６ａ，７ａと一体的に回転する駆動ピン６ｂ，７ｂは、上記の長孔１ｂ、１ｃを貫通して背面側に突き出している。
【００１５】
地板１の背面側に配置されている先羽根群４と後羽根群５の構成について説明する。先ず、先羽根群４は、地板１の背面側に設けられた軸１ｆ，１ｇに対して回転可能に取り付けられた二つのアーム８，９と、それらの先端側に向けて順に枢支された３枚の羽根で構成されていている。また、一方のアーム８に形成された孔には上記した駆動ピン６ｂが嵌合されている。他方、後羽根群５は、地板１の背面側に設けられた軸１ｈ、１ｉに対して回転可能に取り付けられた二つのアーム１０，１１と、それらの先端に向けて順に枢支された３枚の羽根で構成されているが、先羽根群４の場合と同様にして、アーム１０に形成された孔には、上記した駆動ピン７ｂが嵌合されている。
【００１６】
次に、本実施例の作動を説明するが、その前に先ず、図１に示された状態を説明しておく。図１は、各羽根群が開口部１ａの上方から下方に向けて露光作動を開始することの可能な状態を示したものである。そしてこの状態においては、先羽根群４の３枚の羽根が展開状態となって開口部１ａを覆っており、後羽根群５の３枚の羽根は重畳されて、開口部１ａの上方位置に格納されている。また回転子６，７は、図示していない固定子コイルに通電されていないにもかかわらず、上記の実公平５−９７０９号公報にも記載されているように、永久磁石製の回転子と固定子側に配置された図示していない強磁性体部材との間に作用する磁気的吸引力によって、反時計方向へ回転する力が付与されている。そのため、駆動ピン６ｂ，７ｂを介してアーム８，１０を反時計方向へ回転させる力が作用しているが、地板１に設けられたストッパ部１ｄ，１ｅに、アーム９，１０が当接することによって、この状態が維持されている。
【００１７】
このような図１に示した状態において、カメラのレリーズボタンが押されると、先ず、モータ６，７の固定子コイルに順方向への通電が行われ、回転子６ａ，７ａに反時計方向への回転力が付与されてアーム８，１０を反時計方向へ回転させ、各々、ストッパ部１ｄ，１ｅに確実に当接させる。そのため、先羽根群４や後羽根群５が、外部からの衝撃あるいは振動によって、図１に示された露光動作開始位置から移動していた場合には、この固定子コイルに対する順方向の通電によってストッパ部１ｄ，１ｅに当接させられるまで反時計方向に回転させられることになる。
【００１８】
このように各羽根群が各々のストッパ部に当接させられることにより、撮影毎の各羽根群の露光動作開始位置に位置決めされるため、確実に安定した露光作動が可能となる。更に、各羽根群を露光動作開始位置に位置決めするための部材も不要となるので、構造の簡略化、部品点数の削減等による低コスト化が可能となる。
【００１９】
次に、モータ６の固定子コイルには、逆方向の通電が行われるので、回転子６ａは、時計方向へ回転させられ、駆動ピン６ｂがアーム８を時計方向へ回転させることになるので、先羽根群４の３枚の羽根は相互の重なりを大きくしつつ下方へ移動し、開口部１ａを開いていく。その後、所定時間経過後、今度はモータ７の固定子コイルに対しても逆方向への通電が行われるため、回転子７ａも時計方向へ回転させられ、駆動ピン７ｂがアーム１０を時計方向へ回転させることになり、後羽根群５の３枚の羽根は相互の重なりを小さくしつつ下方へ移動し、開口部１ａを閉じていく。
【００２０】
その後、モータ６，７の固定子コイルに対する逆方向への通電が断たれることにより、露光動作が終了することになるが、その状態が図３に示された状態である。その後、この図３に示された状態からモータ６，７の固定子コイルに対して順方向の通電が行われると先羽根群４と後羽根群５は上方に移動して図１に示された状態に復帰する。
【００２１】
ところで、各羽根群を露光作動させるモータは、露光動作開始位置に保持するための磁気的吸引力（保持力）を強くすると、その分だけモータの起動力も大きくしないと所望の露光動作特性が得られない場合がある。そのため、起動電流を大きくしなければならず、カメラの電源電池の消耗を激しくすることになってしまう。しかしながら、本実施例においては、レリーズボタンが押されるとモータ６，７の固定子コイルに対して順方向への通電がおこなわれて各羽根群はストッパ部に当接するまで回転させられるので、モータの磁気的吸引力（保持力）が小さくても撮影毎に確実に各羽根群の露光動作開始位置が位置決め出来るようになっている。
【００２２】
尚、本実施例においては、先羽根群４と後羽根群５の二つの羽根群を設けているが、本発明は、少なくとも一つの羽根群により構成するようにしても差し支えない。また、本実施例においては、アーム９，１０を各々ストッパ部１ｄ，１ｅに当接させているが、本発明は羽根をストッパ部に当接させるようにしても差し支えない。
【００２３】
また、本実施例においては、ムービングマグネット型モータを用いているが、本発明は、ＤＣモータであっても差し支えない。さらに、本実施例においては、各羽根群を露光動作開始位置に位置決めするための各モータの固定子コイルに対する順方向への通電は、レリーズ時に行っていたが、カメラ本体の電源がオンされた後であって被写体を観察中の撮影待機状態中にも適宜、順方向への通電をするようにしても差し支えない。
【産業上の利用可能性】
【００２４】
以上述べたように、本発明のカメラ用フォーカルプレンシャッタは、羽根群を露光動作開始位置に確実に位置決めできるため、一眼レフカメラ、ミラーレスカメラ等のカメラに適用できる。  
【符号の説明】
【００２５】
１                      地板
１ａ                    開口部
１ｂ，１ｃ              長孔
１ｄ，１ｅ              ストッパ部
２                      中間板
３                      補助地板
４                      先羽根群
５                      後羽根群
６，７                  モータ（電磁駆動源）
８，９，１０，１１      アーム
【図１】
0006396096.tif 000002
【図２】
0006396096.tif 000003
【図３】
0006396096.tif 000004